(57)【要約】【課題】１本の台木に多種多様のバラを咲かせ、狭い場所や１つの鉢でバラを楽しむことである。【解決手段】根首のところで水平に切り取ったノバラの台木上の切断面に品種の異なる複数のバラの穂木を接ぎ木し、さらにその穂木とは異なる複数の品種のバラの穂木を、先に接ぎ木した複数の品種の異なる穂木上にさらに接ぎ木することで多品種のバラを１本の台木に接ぎ木し多種多様のバラを繁殖させ、また観賞できることを特徴とするバラの接ぎ木方法である。【選択図】図２
2011167095.tif 000002
【特許請求の範囲】
【請求項１】
根首のところで水平に切り取ったノバラの台木上の切断面に品種の異なる複数のバラの穂木を接ぎ木することを特徴とするバラの接ぎ木方法。
【請求項２】
根首のところで水平に切り取ったノバラの台木上の切断面にバラの穂木を接ぎ木し、さらにその穂木とは異なる品種のバラの穂木を、先に接ぎ木した穂木上にさらに接ぎ木することを特徴とするバラの接ぎ木方法。
【請求項３】
根首のところで水平に切り取ったノバラの台木上の切断面に品種の異なる複数のバラの穂木を接ぎ木し、さらにその穂木とは異なる複数の品種のバラの穂木を、先に接ぎ木した複数の品種の異なる穂木上にさらに接ぎ木することを特徴とするバラの接ぎ木方法。
【請求項４】
請求項１ないし請求項３のいずれかの方法により繁殖したバラの苗木。
【発明の詳細な説明】
【技術分野】
【０００１】
本発明は、ノバラ（ノバラは、野いばらあるいは野ばらと称されることがあるが、ここではノバラとする。）による１本の台木に品種の異なる複数のバラの穂木を接ぎ木し、さらに穂木の上に品種の異なる穂木を接ぎ木し、１本の台木に多種多様のバラを咲かせることを特徴としたバラの接ぎ木方法である。
【背景技術】
【０００２】
現在のバラは、長い歴史の中で、多くの交配と改良により、生まれてきた。その色彩・形状や芳香によりバラは人気があり、全国各地にローズガーデンやバラ園が存在し、わが国でもバラの愛好家による栽培熱は高い。またバラは、作出者による新しい品種のバラコンテストが国内外を問わず開かれ、多種多様のバラが今も生み出され、固有の名前が付けられている品種も数多くある。
【０００３】
バラの繁殖方法の一つに、ノバラの台木に切り込みを入れて、繁殖させたい品種のバラの穂木をその切り込みに差し込んで育てていく接ぎ木という方法がある。接ぎ木には、接木あるいは、切り接ぎと称されることがあるが、ここでは接ぎ木とする。冬季のバラは休眠中のため、養分を多く蓄えている。その枝を接ぎ木用の穂木として採取する。台木は、ノバラを用い、根首のところで水平に切り、水平部に切り込みを入れて、この穂木を差し込みテープで巻いて固定し、活着して芽がふくらんだ後に、テープを外すものである。
【０００４】
これまでの市販されているバラの苗木は、１本のノバラの台木に１品種の穂木を接ぎ木して栽培され、１本のばらの木あるいは１鉢に１品種のバラを植えて育て、花を咲かせるのが一般的である。そのため多種多様のバラの花を育て、観賞するには、広い場所や多くの鉢が必要とされ、狭い場所で多くのバラを観賞することは困難であった。
【０００５】
接ぎ木方法の先行技術としては、台木苗と穂木苗を接合するロボット（特許文献１）、高い活着率で接合するための台木苗と穂木苗の前処理方法（特許文献２）、台木の植え替えによる収穫ブランクが少なく、花の収穫はほとんど立ち作業で行い、作業性の点においても優れた切りバラの栽培方法（特許文献３）等がある。さらに、１本或いは、１株の野バラの根元から伸びた枝で、その脇芽を利用することに着目し、その脇芽を付けて切り口を開き接ぎ口とし、そこへ四季咲き園芸用の多品種のバラの穂木を接ぎ木し、多種多様なバラの花を咲かせることが出来るようにする方法も見受けられた（特許文献４）。
【先行技術文献】
【特許文献】
【０００６】
【特許文献１】特開２００２−２０９４３９号公報
【特許文献２】特開２００４−１１３１６８号公報
【特許文献３】特開２００４−２４２２７号公報
【特許文献４】特開２００５−１３１９８号公報
【０００７】
特許文献４の発明では、１株のノバラの根元から伸びた複数の枝を台木として品種の異なるバラの穂木を接ぎ木するものであった。会社勤務の傍ら、趣味であるバラ栽培を行ってきた本発明者は、上記の発明と異なり、１本のノバラの台木を用いて、多種多様のバラの花を咲かせる方法はないかと思案してきた。そして試行錯誤の結果、１本の台木の水平部に品種の異なるバラの穂木を接ぎ木でき、さらには、台木に付けた複数の穂木の上にさらに品種の異なる複数の穂木を接ぎ木する方法を発明し、本方法によっても活着率が大きく低下しないことを経験的に確かめた。なお、台木上に穂木を接ぎ木するだけでなく、台木上に穂木を接ぎ木し、さらにその穂木の上に別の穂木を接ぎ木することも接ぎ木に含まれるものとする。また、台木とした場合にはノバラの台木を意味し、穂木とした場合も、バラの穂木を意味するものとする。
【発明の概要】
【発明が解決しようとする課題】
【０００８】
本発明が解決しようとする課題は、１本の台木に多くの品種のバラを咲かせ、狭い場所や１つの鉢で多種多様のバラを繁殖させ観賞することである。
【課題を解決するための手段】
【０００９】
すなわち、第１発明は、根首のところで水平に切り取ったノバラの台木上の切断面に品種の異なる複数のバラの穂木を接ぎ木することを特徴とするバラの接ぎ木方法である。
【００１０】
川辺等に生えているノバラを採取し、そのつる枝をさし木して台木とすることが多いが、日常雑貨店や花屋では台木用として束で売られ、入手できる。
根首のところで水平に切断するのは、台木の芽が出ないようにするためである。品種の異なる複数のバラの穂木を台木に接ぎ木し、１本の台木から多品種のバラの花を咲かせるものである。
【００１１】
接ぎ木は以下のようにして行う。台木の木肌から約1.5〜２ｍｍ内側の場所に、縦に1.5〜2ｃｍ真下に切り下げる。穂木は、若い枝の部分を７〜１５ｃｍの長さに切り取り、１方の切断面を斜めに鋭角に切り、反対側を約２ｃｍくらい削り形成層が出るようにする。また、一方の切断面の両側から鋭角に切り、形成層を出すようにしてもよい。先端をこの部分を先に形成させた台木の切り口に挿入し、接ぎ木用テープを台木の周りに巻いて穂木を固定し、台木の形成層と穂木の形成層とを密着させる。接ぎ木用テープを巻いた後に接ぎ木用の接着剤を台木と穂木の接合部に塗る場合もある。
この作業を、台木の水平の切断面の２箇所以上の場所で行い、品種の異なる複数のバラの穂木を接ぎ木する方法である。複数とは、品種の異なる穂木が２種類以上の意味であり、台木の切断面の大きさにより、２種類に限ることはなく、それ以上の穂木を接ぎ木することができる。なお、上記に示した各長さ等の数値は、目安となるものであり、この数値に限定するものではない（以下同様）。
【００１２】
続いて第２発明は、根首のところで水平に切り取ったノバラの台木上の切断面にバラの穂木を接ぎ木し、さらにその穂木とは異なる品種のバラの穂木を、先に接ぎ木した穂木上にさらに接ぎ木することを特徴とするバラの接ぎ木方法である。
【００１３】
台木の上に穂木を接ぎ木し、さらにその穂木上に品種の異なる穂木をさらに接ぎ木するものであり、いわゆる穂木を２階建てとする接ぎ木方法である。
第１発明で作成した最初の穂木すなわち１階部分の穂木の上方切断面中央に縦に1.5〜2ｃｍ真下に切り下げて切れ目を形成する。この１階部分の穂木とは品種の異なる穂木を準備し、その切断面を左右から鋭角に切り取って両面に形成層が出るようにして、この部分を最初の穂木の切れ目に挿入し、接ぎ木用テープを１階部分の穂木の周りに巻いて、２階部分の穂木を固定する方法である。
【００１４】
続いて第３発明は、根首のところで水平に切り取ったノバラの台木上の切断面に品種の異なる複数のバラの穂木を接ぎ木し、さらにその穂木とは異なる複数の品種の穂木を、先に接ぎ木した複数の品種の異なる穂木上にさらに接ぎ木することを特徴とするバラの接ぎ木方法である。
【００１５】
第３発明は、第1発明と第２発明を組み合わせたものである。すなわち、第１発明では、１本の台木に品種の異なる数のバラの穂木を接ぎ木し、第２発明では、1本の台木に穂木を接ぎ木し、さらにその穂木の上に品種の異なる穂木を接ぎ木した２階建ての接ぎ木方法であるが、第３発明では、台木に品種の異なる複数の穂木を接ぎ木し、さらにその穂木上に新たに品種の異なる複数の穂木を接ぎ木するものである。従って１階部分の穂木が２品種であれば２階部分の穂木が２品種であって、品種の異なるバラの穂木が合計４品種、1本の台木に接ぎ木でき、１階部分の穂木が３品種ならば、２階部分の穂木が３品種であり、品種の異なる穂木が合計６品種、１本の台木に接ぎ木することができ、1本の台木から多種多様のバラを咲かせることができるものである。
【００１６】
続いて第４発明は、第1発明ないし第３発明のいずれかの方法により繁殖したバラの苗木である。
【００１７】
第１発明ないし第３発明の方法により得たバラの苗木も発明の対象とするものである。
【発明の効果】
【００１８】
第１発明では、1本の台木に種類の異なる穂木を接ぎ木でき、1本の台木にて種類の異なるバラを観賞することができる。第２発明では、穂木の上にさらに穂木を接ぎ木するいわゆる２階建ての接ぎ木として、1本の台木にて種類の異なるバラを観賞することができる。第３発明では、第１発明と２発明を組み合わせた発明であり、１本の台木にて多種多様のバラの花を観賞することができる。第４発明は、第１発明から第３発明のいずれかの方法により繁殖したバラの苗木も発明の対象とするものである。
【図面の簡単な説明】
【００１９】
【図１】図１は、穂木、台木及び接ぎ木方法の概略図である。
【図２】図２は、第１発明、第２発明、第３発明の説明図である。
【図３】図３は、第２発明の接ぎ木が鉢に植えられている図である。
【図４】図４は、第３発明の接ぎ木が鉢に植えられている図である。
【図５】図５は、第２発明及び第３発明の接ぎ木方法を示す図である。
【発明を実施するための形態】
【００２０】
本発明の実施例を以下に示す。
【実施例１】
【００２１】
図１は、穂木、台木及び接ぎ木方法の概略図である。繁殖させたい穂木１を選択し、養分が蓄えられている枝を斜め鋭角に７〜１５ｃｍに切断面１２で切断し、反対側を形成層１１が出るように約２ｃｍ削る。
台木２の形成層２２にその切断面２１より１．５〜２ｃｍ切り下げ、切り口２４を形成させる。この切り口２４に、穂木１の形成層１１が出ている部分を挿入し、台木２の切り口２４を閉じるように接ぎ木用テープ３を台木２の周りに巻き、穂木を固定する。
【００２２】
図２は、第１発明から第３発明の説明図である。
図２（１）は、台木１の水平の切断面２１の２箇所に品種の異なる複数のバラの穂木１を接ぎ木した第１発明の実施例である。各品種の異なるバラの接ぎ木方法は、前述のとおりである。ここでは２品種のバラの穂木を接ぎ木しているが、台木の切断面の大きさにより、３品種以上の穂木を接ぎ木することもできる。
【００２３】
図２（２）は、台木２にバラの穂木１を接ぎ木し、さらにその穂木の上に品種の異なるバラの穂木１を接ぎ木した第２発明の実施例である。最初の穂木の接ぎ木方法は、前述のとおりである。最初の穂木の上部切断面から約２ｃｍ切り下げ、図示しない穂木の切り口を形成させ、その切り口に、木肌を削り形成層が出た品種の異なる穂木を挿入し、接ぎ木用テープ３を１階部分の穂木１の周りに巻いて、２階部分の穂木１を固定したものである。
【００２４】
図２（３）は、第１発明と第２発明を組み合わせた第３発明の実施例である。品種の異なる２品種の穂木１が接ぎ木され、さらにその穂木上に品種の異なる穂木１が接ぎ木されている。各穂木は品種が異なり、合計４品種の穂木が接ぎ木されている。
【実施例２】
【００２５】
図３は、第３発明の実施例であり、図４は、第３発明の実施例であり、いずれも接ぎ木した台木が鉢４に植えられている。
【００２６】
図５（１）は、第３発明、（２）は、第２発明の台木と穂木を接ぎ木した実施例であり、いずれも台木の根は取り除いている。
【産業上の利用可能性】
【００２７】
１本の台木に多種多様の品種のバラの穂木を接ぎ木することができ、狭い場所でもバラの繁殖及び鑑賞が可能となり、バラの愛好者の数も多く、今後の利用が大いに期待される。
【符号の説明】
【００２８】
１  穂木  １１  穂木の形成層  １２  穂木の切断部
２  台木  ２１  台木の切断面  ２２  台木の形成層  ２３  台木の根  
２４  台木の切り口
３  接ぎ木用テープ
４  鉢
【図１】
2011167095.tif 000003
【図２】
2011167095.tif 000004
【図３】
2011167095.tif 000005
【図４】
2011167095.tif 000006
【図５】
2011167095.tif 000007
【手続補正書】
【提出日】平成22年4月7日(2010.4.7)
【手続補正１】
【補正対象書類名】特許請求の範囲
【補正対象項目名】全文
【補正方法】変更
【補正の内容】
【特許請求の範囲】
【請求項１】
根首のところで水平に切り取ったノバラの台木上の切断面に品種の異なる複数のバラの穂木を接ぎ木することを特徴とするバラの接ぎ木方法。
【請求項２】
根首のところで水平に切り取ったノバラの台木上の切断面に品種の異なる複数のバラの穂木を接ぎ木し、さらにその穂木とは異なる複数の品種のバラの穂木を、先に接ぎ木した複数の品種の異なる穂木上にさらに接ぎ木することを特徴とするバラの接ぎ木方法。
【請求項３】
請求項１ないし請求項２のいずれかの方法により繁殖したバラの苗木。